(57)【要約】原石（６）のテーブル（７）上の上方マークを観察する、宝石ケース（１）の形態の装置に関する。宝石ケースは、上部に原石（６）を有する指輪（５）を保持する体部（２）と、回転リッド（３）とを有する。回転リッド（３）は、カバー（３）が枢軸的に３０°開口される際、原石のテーブル（７）がカバー（３）を開口することにより形成されたギャップを介してケースに進入する光により照射された原石に関して、レンズ（１６）を介して視覚で観察され得るように、１０倍のレンズ（１６）を有するその上部に開口部（１５）を有する。
2005528657.tif 000002
【特許請求の範囲】
【請求項１】
外部光源を用いて、原石のファセット上のマークを視覚で観察する装置であって：
原石又は原石を取り付ける宝石人工物を位置付けする手段；
伸張部材；
該伸張部材と前記の位置付けする手段との間の回転接続部；
該回転接続部と該回転接続部から離れた前記伸張部材の境界との間の、該回転接続部と該境界から実質的に離れた前記伸張部材のアパーチャ；及び
該アパーチャに存在する拡大レンズ；
を有し、
使用時、前記伸張部材は、前記ファセットの法線に対して一定の角度でスペクトル的に該ファセットに反射した光により、視覚で前記の原石のファセットを観察するように、且つ、前記ファセットの画像を焦点付けするように、前記原石に対して上下に動き得ることを特徴とする装置。
【請求項２】
前記回転接続部の軸が閉口な平面に前記原石の前記ファセットのテーブルを有し、該テーブル上のマークを観察するように配列されていることを特徴とする請求項１に記載の装置。
【請求項３】
前記ファセットの法線に対して傾斜された一定の角度で前記ファセットに投射する光の正反射により前記マークを観察するように配列されていることを特徴とする請求項１又は２に記載の装置。
【請求項４】
前記の位置付けする手段は、前記回転接続部の軸に対して直角で該軸から離れた軸であって、前記伸張部材が降下される際該身長部材に略垂直な軸の周囲で回転可能に調節され得ることを特徴とする請求項１乃至３のいずれか一項に記載の装置。
【請求項５】
前記の位置付けする手段は、製造中、複数の異なる位置付けする手段から選択された適切な位置付けする手段を挿入し得るように、前記体部から離れた部材であることを特徴とする請求項１乃至４のいずれか一項に記載の装置。
【請求項６】
前記の位置付けする手段は、異なる位置付けする手段を現在の位置付けする手段と取り替え得るように、前記体部から即座に取り外し可能であることを特徴とする請求項１乃至５のいずれか一項に記載の装置。
【請求項７】
前記原石の高さを調節し得ることを特徴とする請求項１乃至６のいずれか一項に記載の装置。
【請求項８】
前記レンズを介して簡便に観察すべく、前記原石又は前記の人工物が高さガイドに対して略一定のレベルでファセットを配置して調節され得るように、前記原石のファセット用に適切な高さに高さガイドをさらに有することを特徴とする請求項１乃至７のいずれか一項に記載の装置。
【請求項９】
前記伸張部材は、前記光が前記伸張部材の前記境界の下部を通過し前記レンズを介してスペクトル的に反射されるように、実質的な距離にて前記レンズから全ての円周方向に延び、且つ、効果的に不透明であることを特徴とする請求項１乃至８のいずれか一項に記載の装置。
【請求項１０】
前記伸張部材は、前記光が前記伸張部材の前記境界の下部を通過し前記レンズを介してスペクトル的に反射されるように、実質的な距離にて前記レンズから全ての円周方向に延び、且つ、前記光源の少なくとも１つの波長帯域において効果的に不透明であり、
前記アパーチャ及び前記レンズは、前記波長帯域に透過性を有することを特徴とする請求項１乃至８のいずれか一項に記載の装置。
【請求項１１】
前記伸張部材の前記境界及び前記回転接続部は、前記レンズの有効半径の少なくとも約２倍の距離だけ、前記レンズの軸からそれぞれ離れていることを特徴とする請求項１乃至１０のいずれか一項に記載の装置。
【請求項１２】
前記レンズの軸は、前記境界と前記回転接続部の軸とを連結する線の法線であって該法線に対して前記伸張部材を上昇する回転方向に傾斜された小角度に存在することを特徴とする請求項１乃至１１のいずれか一項に記載の装置。
【請求項１３】
前記の位置付けする手段は、前記原石又は前記の人工物の高さを調節し、
前記レンズを介して簡便に観察すべく、前記の位置付けする手段は、前記原石又は前記の人工物の高さが高さガイドに対して略一定のレベルで前記テーブルを配置して調節され得るように、前記原石の前記テーブルに関して適切な高さに配置する高さガイドをさらに有することを特徴とする請求項１乃至１２のいずれか一項に記載の装置。
【請求項１４】
前記の位置付けする手段を支持する体部を有し、
前記伸張部材は、体部で前記原石又は前記の人工物の筐体を形成するように閉口し得ることを特徴とする請求項１乃至１３のいずれか一項に記載の装置。
【請求項１５】
前記の位置付けする手段を有する体部を備えた宝石ケースである請求項１４に記載の装置であって、
前記の位置付けする手段は、前記原石又は前記の人工物を保持し、
前記伸張部材は、カバーを閉口した際、前記原石又は前記の人工物が防護ケースに収納されるように、前記体部に枢軸的に取り付けられたカバーであり、
前記カバー及び前記レンズは、前記カバーが枢軸的に取り付けられ実質的に９０°未満の角度で開口されるように配置され、
前記原石のテーブル上のマークは、前記カバーの開口により形成されたギャップを介して前記のケースに進入する光で照射された前記原石を、前記レンズを介して視覚で観察され得るように構成されることを特徴とする装置。
【請求項１６】
前記高さガイドは、前記体部上に取り付けられることを特徴とする請求項１４又は１５に記載の装置。
【請求項１７】
前記の位置付けする手段は、リングが前記原石の最上部に配置され得るように、前記原石を取り付けるリングを支持するように配置されることを特徴とする請求項１４乃至１６のいずれか一項に記載の装置。
【請求項１８】
前記カバーは、該カバーが閉口される際、前記原石のレベル以下に延びるように配置され、且つ、前記回転接続部の反対の側面上にカットオフを有し、
前記カバーが上昇される際、前記カットオフを介して光が前記原石に到達し得ることを特徴とする請求項１４乃至１７のいずれか一項に記載の装置。
【請求項１９】
前記カットオフは、実質的に直線的な上部を有し、
前記レンズの中心及び前記カットオフの上部の中心は、前記回転接続部の軸の法線方向の平面に存在することを特徴とする請求項１８に記載の装置。
【請求項２０】
前記体部は、前記カバーが閉口される際、前記カットオフと適合する上部突出部を有することを特徴とする請求項１８又は１９に記載の装置。
【請求項２１】
前記の位置付けする手段は、観察用に前記原石の適切に配置されるように、前記体部に対して垂直軸の周囲で回転し得ることを特徴とする請求項１４乃至２０のいずれか一項に記載の装置。
【請求項２２】
前記の位置付けする手段は、前記体部の上に直立し得るベースに固定されていることを特徴とする請求項２１に記載の装置。
【請求項２３】
前記の位置付けする手段は、前記体部の円形凹部に受けられる円形環状部品を有する部材と、前記原石又は前記の人工物を支持する部材と、前記高さガイドを設ける上部突出部とを備えていることを特徴とする請求項１３、２１又は２２に記載の装置。
【請求項２４】
前記の位置付けする手段は、製造中、該位置付けする手段が異なる複数の位置付けする手段から選択され得るように、前記体部とは異なる部材であることを特徴とする請求項１４乃至２３のいずれか一項に記載の装置。
【請求項２５】
前記の位置付けする手段は、異なる位置付けする手段が現在の位置付けする手段と取り替えられ得るように、前記体部から即座に取り外し得ることを特徴とする請求項１４乃至２４のいずれか一項に記載の装置。
【請求項２６】
本願に添付した図面に実質的に述べた観察装置。
【請求項２７】
請求項１乃至２６のいずれか一項に記載の装置を用いて、原石のファセット上のマークを観察する方法であって、
外部光源で前記原石を照射する工程と、
反射光により前記ファセットを観察する工程とを有し、
前記伸張部材は、適正な観察軸の配列を得るように、且つ、前記ファセットの画像を焦点付けするように、前記回転接続部の周囲で昇降され、
前記光は、前記法線に対する一定の角度で前記ファセットに投射し、且つ、前記レンズを介してスペクトル的に反射されることを特徴とする方法。
【請求項２８】
本願に添付した図面に実質的に述べた、原石のファセット上のマークを観察する方法。
【発明の詳細な説明】
【発明の詳細な説明】
【０００１】
（発明の背景）
本発明は、外部光源を用いて、原石のファセット上のマークを視覚により観察するための装置に関する。また、本発明は、特に、ダイアモンドや、指輪やイヤリングなどの原石を取り付けた宝石製品などの、原石を保持する宝石ケースに関する。
【０００２】
原石や人工物を支持する手段を提供する体部で形成され、この体部に旋回するカバーで形成された宝石ケースが知られている。この宝石ケースは、カバーが閉口された際、宝石や人工物を障害から防御するため、原石や人工物を粉塵から防御するため、且つ、特に原石などの品物が失われないようにより大きなユニットを提供するため、宝石又は人工物が通常は不透明な防護ケース内に収納される。
【０００３】
近年、特定のダイアモンド製造者は、原石のガードル（ｇｉｒｄｌｅ）上に、特に、原石のテーブル（テーブルファセット）上にマークを配置する試みを採用してきた。このマークは、例えば、原石の起源を示す英数字のマークやそのシリアル番号などの種々の情報マーク又は証印であってもよく、及び／又は、ロゴや登録商標及び／又はその質や真性を示すマークであってもよい。近代技術によると、このマークは、原石のごく微量な材料を除去することによりテーブル上に形成され、これは、ミリング（ｍｉｌｌｉｎｇ）と称される。ミリング技術は、例えば、英国特許第２３２５３９２号や国際特許出願番号９７／０３８４６号に示される。テーブル上にマークを配置する利点は、テーブルは、原石を取り付けることにより不明瞭とならない点である。このマークは、原石の価値を低下させるのを防止するのに十分小さくてもよく、通常は、裸眼では視覚できない程度のものである。それにもかかわらず、テーブル上又は原石の種々のファセット上にマークが存在することは、例えば、原石が合成品ではなく且つその色度を促進するために処置されていないことを示す価値のある指標である。
【０００４】
原石のファセット上のマークを検討する方法は複数あるが、簡単なルーペ、インスクリプションルーペ又は拡大ピンセットを用いることとは別に、全て、比較的面倒な装置を必要とし、且つ、例えば、ケースから原石を取り出すことを必要とする。マークを簡単に且つ便利に検査する方法を提供することが望まれている。ケースから原石を取り出す必要のない方法を提供することが好ましく、所望する場合には、ケースから原石を簡単に取り出し得る方法を提供することが好ましい。本発明の目的は、有用な代替例を提供するために、先行技術における少なくとも欠点の１つを克服或いは改良することである。
【０００５】
本願明細書の全体を通じた先行技術の関する種々の記載は、かかる先行技術が広く知られ或いは本技術分野において共通の一般的な知見の一部を形成することを認めるものではない。
【０００６】
（本発明）
本発明は、請求項１又は２６に観察装置を提供し、請求項２７又は２８に方法を提供する。その他の請求項が請求するのは、本発明の好適な特徴及び任意の特徴である。
【０００７】
本発明を用いると、通常の室内光若しくはオーバーヘッド光又は外部光などの外部光源（例えば発行ダイオードなどの光源を本発明の装置に代替的に組み込んでもよい）を用いて低コストの装置を提供し得る。これにより、原石のファセット上のマークを宝石職人又は大衆人が観察し、識別し、認識し、読解し得るようになる。使用時、ユーザーは、眼の近傍にレンズを保持し、原石に焦点が合うように伸張部品の角度を調節し、その後、（散乱光の反射に対向するように）外部光源の正反射を得るように観察装置を傾斜する。回転接続部位から最も離れたシールドの一部である境界は、グリップされ、プレスされ且つ移動されてもよく、レンズは、レバーの作用によりより少ない距離を移動する。この拡大鏡は、上記のマークの拡大された仮想上の正像を表し、レンズの軸に相対してマークが正しい位置に配置されていることを示す。上記の回転接続により、ファセットが正しい位置に配置され且つレンズの軸に相対して所定の角度に実質的に存在するように、ファセットに相対してレンズを調節可能であり、装置は、原石のファセットに対するレンズの相対的な配列を保持する。装置は、原石とレンズとの相対的な位置関係を制御し、これにより、非常に早くマークを視覚し得るようになる。また、上記の伸張部材を回転することにより、軸の焦点調節性を提供する。ユーザーは、ルーズ原石又は宝石の小片とルーペとを配置するのに比べて、良好な焦点合わせを非常に簡便に行えるようになる。
【０００８】
従って、本発明の装置は、マークを観察する簡単な方法を提供し、好適な配列においては、種々の追加の光源を用いることなく、室内光又は屋外光を使用する。この光は、斜方向、つまり、その法線に対する角度で投射する。この光源の斜光線は、ミリングされたマークのコントラストを促進してもよく、種々の場合、ミリングされたマークは、スペクトル的にファセットに反射した光を用いるという困難を伴うことなく、視覚可能となる。
【０００９】
上記のレンズは、種々の適切な倍率を有してもよく、例えば、約２倍又は約６倍以上、或いは、例えば、約２０倍又は１６倍以下であってもよいが、１０倍のレンズであれば、市販で適用される多くのマークを識別可能である。レンズ軸は、好ましくは、上記の境界及び上記の回転接続の軸を連結する線に対する法線の角度であることが好ましく、上記の伸張部材を上昇させる回転方向において上記の法線に対して傾斜される。この角度は、好ましくは、２°以上であり、約８°又は１０°未満であることが好ましい。
【００１０】
上記の伸張部材及び上記の回転接続部の境界は、少なくともレンズの有効半径の約２倍、３倍、４倍又は５倍の距離だけレンズの軸からそれぞれ離れて配置されてもよい。好ましくは、伸張部材は、レンズから全ての円周方向へと実質的な距離に延びている。この場合、伸張部材は、波長の少なくとも１つの帯域に対して効果的に不透明であってもよく或いは少なくとも部分的に効果的に不透明であってもよく、且つ、画像の質に影響を与える迷光を減少させることにより画像の解像度を増加するシールドとして機能してもよい。このシールドが波長のちょうど１つの帯域にのみ不透明である場合、マークは、その帯域についてのみ照射する光源を配列することにより、或いは、例えばレンズに関連付けられた光路においてフィルターを設けることにより、この波長帯域についてのみより良好に視覚される。上記のシールドは、ファセットの画像の質に影響を及ぼす迷光を実質的に低下させるように、伸張される。例えば、シールドは、（つまり、光伝送に有効なレンズの一部である）レンズの有効半径の少なくとも約５倍又は１０倍の距離だけレンズ軸から全ての円周方向へと延びていてもよい。
【００１１】
好適な配列において、本発明の観察装置は、通常の宝石ケースとして機能してもよく、且つ、種々の追加の装置を用いることなく、視覚により、原石のテーブル上の上記のマークを識別可能であってもよい。従って、本発明の装置は、原石又は人工物を保持するための上記の位置付け手段を有する体部を備えた宝石ケースの形態であってもよい。上記の伸張部材は、カバーが閉口される際上記の体部に回転されるカバーであり、原石又は人工物は、防護ケースに収納される。上記の宝石ケースは、請求項１１にも記載している。しかしながら、代替例として、本発明の観察装置は、原石又は宝石の人工物を収納性を形成するように閉口可能である必要はなく、上記のマークを観察できればよい。例えば、開口端部を有していてもよく、ネックレスやブレスレットは、各原石がレンズの下部に配置可能であり続いて検討され得るように、移動可能であってもよい。この場合、上記の位置付け手段は、原石又は人工物を安定した位置に配置するだけの手段でしかない。
【００１２】
上記の回転可能接続部は、ヒンジピンを有するヒンジの形態であってもよい。しかしながら、これは本質的でなく、例えば、他の配列において、この回転可能接続部は、種々の適切な様式に設けられてもよい。例えば、上記のシールド及び上記の原石を位置付けする手段で一体的に射出成形され得る、一体型の弾性変形可能プラスティックヒンジであってもよい。
【００１３】
本願の従属請求項は、本発明に関して、任意の、好適な、或いは、代替的な特徴を請求するものである。
【００１４】
（好適実施例）
添付した図面を参照しながら、例として、本発明の実施例を説明する。
【００１５】
宝石ケース１は、体部２と、簡単なヒンジピン４により体部２に枢軸的に取り付けられたカバー又はカバー３の形態の伸張部材又はシールドとを有する。体部２は、位置付け手段を有し、特に、原石６を取り付ける指輪５を保持又は支持する手段であって、原石６は、上部をテーブル７としてブリリアントカットした、ダイアモンドとして図に示す。カバー３は、指輪５を簡便にマニピュレート又は除去するため、９０°以上の種々の角度で開口されてもよい。カバー３が閉口される際、カバー３は、防護ケースとなる。
【００１６】
上記の位置付け手段は、円形バレル９を有する回転ホルダー８として形成され、円形バレル９は、体部２において円形凹部として受けられ、且つ、逆Ｕ字型のスロットとして示されたスナップフィンガー１０に対向した位置に保持され、このスロットは、個々のフィンガー１０の上部を超えて延び、且つ、円形バレル９の底部の側面下に延びる（図２の破線を参照のこと）；フィンガー１０のツメ１０’は、体部２の円形凹部の周囲の環状溝に係合する。円形バレル９は、指輪５用の装飾用背景を形成する上方略水平フェーシング１２を有する発泡充填剤１１と、宝石ケース１が直立し得るベース１３とを有する。発泡充填剤１１は、指輪５を受ける常套的なスロットを有し、指輪５は、その位置に簡単に配置され且つ摩擦で配置される。指輪５は、手で簡単に昇降され得る。回転ホルダー８は、上部にテーブルを有する原石を宝石ケース１の軸上に存在させつつ、単一の原石を保持するように、或いは、イヤリングなどの他の宝石人工物を保持するように、代替的に配置されてもよい。複数の異なる回転ホルダー８の１つを製造中に挿入してもよい。また、スナップフィンガー１０により、回転ホルダー８は、即座に取り外し可能であり、既に適合されているホルダー８に代わって、異なるホルダー８と取り替えてもよい。
【００１７】
回転ホルダー８は、上部に突出するベロ１４を有し、これは、円形バレル９と同じ厚みを有し、その上部は、原石テーブル７用の適切な高さにおける高さガイドとして機能する；この方式において、この高さガイドは、体部２上に取り付けられる。原石６の高さは、以下に説明するように、観察に便利なように、ベロ１４のレベルに対して大雑把にテーブル７を配置して調節されてもよい。回転ホルダー８は、観察のため、原石６を適切に配置するように、体部２の垂直軸の周囲で、ベース１３を握って回転されてもよい。
【００１８】
カバー３は、拡大レンズ１６をその上部に保持する開口部又はアパーチャ１５を有する。カバー３は、レンズ１６の軸から全ての円周方向に、アパーチャ１５の半径の実質的に５倍（レンズ１６の有効半径）以上の距離に延びている。図３に示すように、カバー３のレフトハンドリップ３’（ピボット（４）から離れたカバー３の境界）及びピボット（４）は、レンズ１６の軸から、それぞれ、レンズ１６の有効半径の６．６倍及び６倍にある。カバー３は、カバー３を閉口した際、原石６のレベルよりも下部に延びている。また、カバー３は、ピボットヒンジの反対の側面上にカットアウト１７を有し、カバー３を上昇させた際、ここを介して原石テーブル７に光が到達してもよい。カットアウト１７の上部は、ほぼ直線的であり、レンズ１６の中心及びカットアウト１７の上部は、カバー３のピボット（４）の軸の法線である平面に存在する。体部２は、カバー３を閉口した際カットアウト１７と適合する上方突出部１８を有する。この配置は、カバー３をおよそ３０°開口した際、ピボット（４）から離れてカバー３の端部の下部を通過してカバー３を開口することにより形成されたギャップを介してケースに進入する光（つまり、図３において左側からの矢印で示す）であって、つまり、カットアウト１７を介して進入した光であって、原石テーブル７に斜方向に投射する光により照射された原石６が、レンズ１６を介して眼により原石テーブル７を視覚し得る配置である。レンズ１６の軸は、図３の右側への矢印で示した観察軸に一致しているが、これは、（カバー３を閉口した際）宝石ケース１の軸に対して１５°であり、リップ３’の底部及びピボット軸（４）を連結する線に対して４°である。図３において、この光は、４５°でテーブル７に投射し、その観察軸は、テーブル７に対して４５°であるように示しており、テーブル７に投射する光及びレンズ１６を介して反射された光により鏡面画像を観察する。
【００１９】
体部２及びホルダーバレル９は、アクリロニトリルブタジエン−スチレンなどの種々の適切な半透明プラスティック材料で射出成形されてもよく、カバー３は、同様の材料又は代替的に透明なアクリル樹脂で射出成形されてもよい。後者の場合、カバー３及びレンズ１６は、１つのユニットとして成形されてもよい；レンズ１６を除くカバー３は、吹き付け塗装されてもよい。発泡充填剤１１は、ポリウレタン発泡体などの発泡プラスティックで形成されてもよく、着色された合成ベルベットのフェーシング１２を有していてもよい。レンズ１６は、１０倍の倍率を有していてもよい。レンズ１６は、ガラス又はプラスティックで製造されてもよい。一定のサイズを与えるため、ベース１３の径は、２８ｍｍであってもよい。
【００２０】
（概略）
文脈からその他を意図する必要のない場合、本願の明細書及び特許請求の範囲の全体を通じて、用語「有する」やこれに類する用語は、排他的又は排他的な意味合いとは異なり、「含むがこれに限定されるものではない」との意味合いを包含するように解釈されるべきである。
【００２１】
単に一例として上述の通り本発明を説明したが、その改変もまた、本発明の精神に包含され得る。特許請求の範囲、要約書及び図面を含む本願明細書に開示の各特徴は、特に記載しない限り、同様で、等価で同様の目的として機能する代替的な特徴に置き換られてもよい。
【図面の簡単な説明】
【００２２】
【図１】宝石ケースの正面斜視図である。
【図２】一部を破線で示した宝石ケースの側面図である。
【図３】図１に示したＩＩＩ−ＩＩＩ平面に沿った断面である。
【図４】リッドを除いた宝石ケースの上面図である。
【図１】
2005528657.tif 000003
【図２】
2005528657.tif 000004
【図３】
2005528657.tif 000005
【図４】
2005528657.tif 000006
【手続補正書】
【提出日】平成16年12月7日(2004.12.7)
【手続補正１】
【補正対象書類名】特許請求の範囲
【補正対象項目名】全文
【補正方法】変更
【補正の内容】
【特許請求の範囲】
【請求項１】
物体（７）を観察方法であって、
前記物体を位置付けする位置付け手段（８）と、アパーチャ（１５）を有する部材（３）と、前記のアパーチャを有する部材と前記位置付け手段との間に存在する回転接続部と、前記アパーチャに存在する拡大レンズとを備える装置（１）を使用する工程であって、前記アパーチャは、前記回転接続部（４）から実質的に離れて配置されている、工程；
前記位置付け手段を用いて前記物体を位置付けする手段；
前記物体を外部光源で照射する工程；及び
前記のアパーチャを有する前記部材の境界の下部を通過する前記外部光源からの光で、前記物体を観察する工程；
を有し、
当該方法は、原石のファセット（２）上のマークを観察するのに使用され、
前記原石（６）又は該原石を取り付けた宝石人工物（５）は、前記位置付け手段により位置付けされ、
前記のアパーチャを有する部材（３）は、前記アパーチャ（１５）が前記回転接続部（４）と該回転接続部から離れたシールド部材の境界（３’）との間に存在するように且つ前記回転接続部（４）と前記境界（３’）とから離れて存在するように、シールド部材の形態を有し、
前記シールド部材は、前記ファセットの画像を焦点付けするように且つ前記シールド部材の前記境界の下部を通過した光が前記ファセットの法線に対して一定の角度で前記ファセットに投射し前記レンズを介してスペクトル的に反射されるような観察軸を適切に配列するように、回転接続部の周囲で動かされることを特徴とする方法。
【請求項２】
原石又は原石を取り付けた宝石人工物（５）を位置付けする手段（８）；
シールド部材（３）；
該シールド部材と前記の位置付けする手段との間に存在する回転接続部（４）；
前記回転接続部と該回転接続部から離れた前記シールド部材の境界（３’）との間に存在し且つ該回転接続部と該シールド部材とから離れて存在する前記シールド部材のアパーチャ（１５）；及び
前記アパーチャの拡大レンズ（１６）
を有する請求項１に記載の方法を実行する装置（１）であって、
使用時、前記シールド部材は、前記境界の下部を通過し前記ファセットの法線に対して一定の距離で前記ファセットにスペクトル的に反射された光により前記原石のファセットを視覚で観察するように且つ前記ファセットの画像を焦点付けするように、前記原石に相対して昇降され得ることを特徴とする装置。
【請求項３】
前記回転接続部の軸に閉口な平面に前記テーブルのファセットが存在する前記原石の前記テーブルファセット上のマークを観察するように配列されていることを特徴とする請求項２に記載の装置（１）。
【請求項４】
前記の位置付けする手段は、前記回転接続部（４）の軸に対して直角で該回転接続部から離れた、前記シールド部材（３）の略法線である軸の周囲で回転可能に調節可能であることを特徴とする請求項２又は３に記載の装置（１）。
【請求項５】
前記の位置付けする手段（８）は、製造中、複数の異なる位置付けする手段からせん宅された適切な位置付けする手段を挿入し得るように、体部（２）とは異なる部材であることを特徴とする請求項２乃至４のいずれか一項に記載の装置（１）。
【請求項６】
前記の位置付けする手段（８）は、異なる位置付けする手段手段が現存する位置付けする手段と交換され得るように、体部（２）から即座に取り外し可能であることを特徴とする請求項２乃至５のいずれか一項に記載の装置（１）。
【請求項７】
前記原石（６）の高さが調節可能であることを特徴とする請求項２乃至６のいずれか一項に記載の装置（１）。
【請求項８】
前記レンズ（１６）を介して簡便に観察されるべく、前記原石又は前記の人工物の高さが高さガイドで概略的なレベルにファセットを配置して調節され得るように、前記原石のファセット（７）用の適切な高さに高さガイド（１４）を有することを特徴とする請求項７に記載の装置（１）。
【請求項９】
前記シールド部材（３）は、前記光が前記シールド部材の前記境界（３’）の下部を通過し前記レンズを介してスペクトル的に反射されるように、前記レンズ（１６）から全ての円周方向へと実質的な距離だけ延び、且つ、効果的に不透明であることを特徴とする請求項２乃至８のいずれか一項に記載の装置（１）。
【請求項１０】
前記シールド部材（３）は、前記光が前記シールド部材の前記境界（３’）の下部を通過し前記レンズを介してスペクトル的に反射されるように、前記レンズ（１６）から全ての円周方向へと実質的な距離だけ延び、且つ、前記光源の少なくとも１つの波長帯域に対して効果的に不透明であることを特徴とする請求項２乃至８のいずれか一項に記載の装置（１）。
【請求項１１】
前記シールド部材の前記境界（３’）は、前記レンズの有効半径の少なくとも約２倍の距離だけ前記レンズ（１６）の軸から離れていることを特徴とする請求項２乃至１０のいずれか一項に記載の装置（１）。
【請求項１２】
前記回転接続部（４）は、前記レンズの有効半径の少なくとも約２倍の距離だけ前記レンズ（１６）の軸から離れていることを特徴とする請求項２乃至１１のいずれか一項に記載の装置（１）。
【請求項１３】
前記レンズ（１６）の軸は、前記境界（３’）と前記回転接続部（４）とを連結する線であって前期シールド部材（３）を上昇する回転方向における法線に対して傾斜されている線の法線に対して小角度に存在することを特徴とする請求項２乃至１２のいずれか一項に記載の装置（１）。
【請求項１４】
前記の位置付けする手段（８）は、当該装置（１）が前記回転接続部（４）及び前記原石のファセット（７）軸に対して水平に且つ前記ファセットのレベルの上方のレンズ（１６）に対して位置付けされる場合、前記ファセットが前記回転接続部の軸のレベルの上方に存在するように、配列されることを特徴とする請求項２乃至１３のいずれか一項に記載の装置（１）。
【請求項１５】
前記の位置付けする手段（８）は、前記シールド部材（３）が下方に動かされる場合、前記原石のファセットが前記レンズ（１６）の軸上に実質的に存在するように、配列されることを特徴とする請求項２乃至１３のいずれか一項に記載の装置（１）。
【請求項１６】
前記レンズ（１６）と前記の位置付けする手段（８）との関係は、前記シールド部材（３）が、レンズが前記原石のファセットに近接し且つ略閉口となる位置に動かされ得るように構成されていることを特徴とする請求項２乃至１５のいずれか一項に記載の装置（１）。
【請求項１７】
当該装置が直立する場合、前記回転接続部（４）が垂直となる際、及び、前記原石（６）が前記ファセット（７）の垂直方向及び際上部に対して前記の位置付けする手段（８）の中心に配置される場合、前記原石のファセット（７）が前記境界（３’）の下部を通過し前記ファセットの法線に対して一定の角度で前記ファセットにスペクトル的に反射された光により視覚で観察され得る位置へと、前記シールド部材（３）を前記原石に相対して昇降し得るように、配列されることを特徴とする請求項２乃至１６のいずれか一項に記載の装置（１）。
【請求項１８】
前記の位置付けする手段（８）は、前記原石（６）又は前記の人工物（５）の高さを調節可能とし、
前記の位置付けする手段（８）は、前記レンズを介して簡便に観察されるべく、前記原石又は前記の人工物の高さが高さガイドに対しおよそのレベルに前記テーブルを配置して調節され得るように、前記テーブル（７）用に適切な高さに高さガイド（１４）を有することを特徴とする請求項２乃至１５のいずれか一項に記載の装置（１）。
【請求項１９】
前記の位置付けする手段（８）を支持する体部（２）を有し、
前記シールド部材は、前記体部で前記原石（６）又は前記の人工物（５）用の筐体を形成するように閉口し得ることを特徴とする請求項２乃至１８のいずれか一項に記載の装置（１）。
【請求項２０】
前記原石（６）又は前記の人工物（５）を保持する前記の位置付けする手段（８）を有する体部（２）を備えた宝石ケース（１）である請求項１９に記載の装置（１）であって、
前記シールド部材（３）は、カバーが閉口される際、前記原石又は前記の人工物を防護ケース内に収納されるように、前記体部に枢軸的に取付られたカバーであり、
前記カバー及び前記レンズ（１６）は、該カバーが実質的に９０°未満の角度にて枢軸的に回転される際、前期原石のテーブル上のマークが前記カバーを開口することにより形成されたギャップ（１７）を介して前記のケースに進入する光により称さされる原石に関して前記レンズを介して視覚で観察され得るように、配列されることを特徴とする請求項１９に記載の装置（１）。
【請求項２１】
請求項８又は１８に規定した前記高さガイド（１４）は、前記体部（２）上に取り付けられていることを特徴とする請求項１９又は２０に記載の装置（１）。
【請求項２２】
前記の位置付けする手段（８）は、リングが前記原石の最上部に配置され得るように、原石（６）を取り付けるリングを支持して配列されていることを特徴とする請求項１９乃至２１のいずれか一項に記載の装置（１）。
【請求項２３】
前記カバー（３）は、該カバーが閉口される際、前記原石（６）のレベルの下部に延びるように配置され、且つ、前記回転接続部（４）の反対の側面上にカットアウト（１７）を有し、前記カバーが開口された際、前記カットアウトを介してカットアウトされた光が前記原石に到達し得ることを特徴とする請求項１９乃至２２のいずれか一項に記載の装置（１）。
【請求項２４】
前記カバー（３）は、該カバー（３）が閉口される際、前記原石（６）のレベルの下部に延びるように配置され、且つ、前記回転接続部（４）の反対の側面上にカットアウト（１７）を有し、該カットアウトの長さは、個々の側面の長さよりも実質的に小さく、前記カバーが開口された際、前記カットアウトを介してカットアウトされた光が前記原石に到達し得ることを特徴とする請求項１９乃至２２のいずれか一項に記載の装置（１）。
【請求項２５】
前記カットアウト（１７）は、実質的に直線状の上部を有し、
前記レンズ及び前記カットアウトの上部の中心は、前記回転接続部（４）の軸の法線である平面に存在することを特徴とする請求項２３又は２４に記載の装置（１）。
【請求項２６】
前記体部（２）は、前記カバーが閉口される際、前期カットアウト（１７）と適合する上方突出部（１８）を有することを特徴とする請求項２３乃至２５のいずれか一項に記載の装置（１）。
【請求項２７】
前記カットアウト（１７）は、前記シールド部材（３）の一部を形成するスカートに形成されることを特徴とする請求項２３乃至２６のいずれか一項に記載の装置（１）。
【請求項２８】
前記の位置付けする手段（８）は、前記原石（６）を観察するのに適切に位置付けするように、前期体部（２）に対して垂直軸の周囲で回転され得ることを特徴とする請求項１９乃至２７のいずれか一項に記載の装置（１）。
【請求項２９】
前記の位置付けする手段（８）は、ベースに固定され、該ベース上には、前記体部（１３）が直立し得ることを特徴とする請求項２８に記載の装置（１）。
【請求項３０】
前記の位置付けする手段（８）は、前記体部（２）の円形凹部に受けられる円形環状部品を有する部材と、前記原石（６）又は前記の人工物（５）を支持する部品（１１）と、前記高さガイドを提供する上方突出部（１４）とを備えていることを特徴とする請求項１８、２８又は２９に記載の装置（１）。
【請求項３１】
前記の位置付けする手段（８）は、製造中、該位置付けする手段が複数の異なる位置付けする手段からせん宅され得るように、前記体部（２）とは異なる部材であることを特徴とする請求項１９乃至３０のいずれか一項に記載の装置（１）。
【請求項３２】
前記の位置付けする手段（８）は、異なる位置付けする手段が現在の位置付けする手段と取り替えうるように、前記体部（２）から即座に取り外し得ることを特徴とする請求項１９乃至３１のいずれか一項に記載の装置（１）。
【請求項３３】
本願に添付した図面に実質的に述べた観察装置（１）。
【請求項３４】
請求項３乃至３２のいずれか一項に記載の装置（１）を使用して実行することを特徴とする請求項１に記載の方法。
【請求項３５】
本願に添付した図面に実質的に述べた、原石のファセット上のマークを観察する方法。
【国際調査報告】
2005528657.tif 000007
2005528657.tif 000008
2005528657.tif 000009
2005528657.tif 000010
2005528657.tif 000011